(57)【要約】【課題】  入力される映像信号の輝度レベルに応じて，映像信号を変換し，輝度を調節して表示する電界放出ディスプレイ及びその駆動方法を提供する。【解決手段】  入力される映像信号を例えばフレーム単位で加算する加算器２１０及びフレーム単位の輝度レベルの平均値を求める分割器２２０から構成される演算部２１５と，演算部２１５で算出された輝度レベルに基づき，比較器２３０が映像の明るさ程度が分かるデータが記憶されているＬＵＴ２４０の参照データと比較して，映像信号の変換指数を算出する比較部２３５と，フレーム単位で入力映像信号を記憶するフレームメモリ２５０である記憶部と，比較結果によって，入力された映像信号の輝度レベルを変換するデータ変換部２６０と，データ電極駆動部２７０と，走査電極駆動部２８０と，電界放出ディスプレイパネル２９０とを備えている。【選択図】    図２
2005107521.tif 000002
【特許請求の範囲】
【請求項１】
入力された映像信号をディスプレイパネルに表示するように動作する駆動部を含む電界放出ディスプレイにおいて，
前記映像信号の単位映像ごとに，画面全体の明るさ程度が分かる映像データの輝度レベルを計算する演算部と，
前記映像信号の前記単位映像ごとに，前記映像データを記憶する記憶部と，
前記演算部で算出された前記輝度レベルに基づき，前記映像信号の変換指数を算出する比較部と，
前記記憶部に記憶された前記映像データを前記変換指数により変換し，前記駆動部に出力するデータ変換部と，
を備えることを特徴とする電界放出ディスプレイ。
【請求項２】
前記単位映像は，１フレーム映像であることを特徴とする請求項１に記載の電界放出ディスプレイ。
【請求項３】
前記記憶部は，フレームメモリであることを特徴とする請求項２に記載の電界放出ディスプレイ。
【請求項４】
前記単位映像は，１ライン映像であることを特徴とする請求項１に記載の電界放出ディスプレイ。
【請求項５】
前記記憶部は，ラインメモリであることを特徴とする請求項４に記載の電界放出ディスプレイ。
【請求項６】
前記演算部は，
前記単位映像ごとに前記映像データを加算する加算器と，
前記加算器により加算された前記映像データの平均値を算出する分割器と，
を備えることを特徴とする請求項１，２，３，４または５のいずれかに記載の電界放出ディスプレイ。
【請求項７】
前記比較部は，
映像信号の基準輝度レベル及び前記基準輝度レベルによるデータ変換指数が記憶されたルックアップテーブルをさらに備えることを特徴とする請求項１，２，３，４，５または６のいずれかに記載の電界放出ディスプレイ。
【請求項８】
入力された映像信号をディスプレイパネルに表示するように動作する電界放出ディスプレイの駆動方法において；
ａ）入力された前記映像信号を単位映像ごとに記憶する段階と，
ｂ）前記映像信号の前記単位映像ごとに，画面全体の明るさ程度が分かる前記映像データの輝度レベルを計算する段階と，
ｃ）算出された前記輝度レベルに基づいて前記映像信号の変換指数を算出する段階と，
ｄ）前記変換指数により，前記ａ）段階で記憶された前記映像データを変換する段階と，
ｅ）変換された映像データにより，映像を表示する段階と，
を含むことを特徴とする電解放出ディスプレイの駆動方法。
【請求項９】
前記単位映像は，１フレーム映像であることを特徴とする請求項８に記載の電解放出ディスプレイの駆動方法。
【請求項１０】
前記単位映像は，１ライン映像であることを特徴とする請求項８に記載の電解放出ディスプレイの駆動方法。
【請求項１１】
前記ｂ）段階は，
前記単位映像ごとに前記映像データを加算する段階と，
加算された前記映像データの平均値を算出する段階と，
を含むことを特徴とする請求項８，９または１０のいずれかに記載の電界放出ディスプレイの駆動方法。
【請求項１２】
前記ａ）段階は，
前記ｂ）段階及び前記ｃ）段階が行われている間中に行われることを特徴とする請求項８，９，１０または１１のいずれかに記載の電解放出ディスプレイの駆動方法。
【発明の詳細な説明】
【技術分野】
【０００１】
本発明は，電界放出ディスプレイ（ＦＥＤ；Ｆｉｅｌｄ  Ｅｍｉｓｓｉｏｎ  Ｄｉｓｐｌａｙ）及びその駆動方法に係り，特に入力された映像信号をディスプレイパネルに表示するように動作する駆動部を含む電界放出ディスプレイ及びその駆動方法に関するものである。
【背景技術】
【０００２】
一般に，フラットパネルディスプレイ（ＦＰＤ；Ｆｌａｔ  Ｐａｎｅｌ  Ｄｉｓｐｌａｙ）は，両基板間に側壁を立てて密閉容器を製造し，この容器の内部に適切な素材を配置して所望の画面を表示する装置で，近来マルチメディアの発達にしたがいその重要性が増大している。これに応え，液晶ディスプレイ（ＬＣＤ），プラズマディスプレイパネル（ＰＤＰ），電界放出ディスプレイ（ＦＥＤ）などの，いろいろの平面型ディスプレイが開発され実用化されている。
【０００３】
特に，電界放出ディスプレイは，陰極線管（ＣＲＴ）と同様に，電子線による蛍光体の発光を用いることにより，陰極線管（ＣＲＴ）の優れた特性を保持しながらも，画像の歪みなしで低消費電力の平面型ディスプレイに具現し得る可能性が高く，視野角，高速応答，高輝度，高精細，薄型などの観点からも良好で，次世代ディスプレイとして注目を浴びている。
【０００４】
具体的には，電界放出ディスプレイは，カソード，アノード，及びゲート電極を有する３極管の構造からなる。より詳しくは，基板上に，一般にスキャンに使用されるカソード電極が形成され，カソード電極上に，接触孔を有する絶縁層と，一般にデータ電極として使用されるゲート電極とが積層される。この際，接触孔内に電子放出源のエミッタが形成されカソード電極に連結される。
【０００５】
このように構成された電界放出ディスプレイは，先鋭な陰極，つまりエミッタに高電界を集中させて，量子力学的なトンネル効果により電子を放出させ，エミッタから放出された電子が，カソード電極とアノード電極間に印加された電圧により加速され，両電極に形成されたＲＧＢ蛍光層に衝突して蛍光体を発光させることで映像を表示する。
【０００６】
放出された電子が蛍光層に衝突して蛍光体を発光させるので，表示される映像の輝度は入力されるデジタル映像信号の値によって変わる。詳しくは，デジタル映像信号の値はそれぞれ８ビットのＲＧＢデータからなる。すなわち，デジタル映像信号の値は０（２進数で“００００００００”）〜２５５（２進数で“１１１１１１１１”）となり得る。このように，２５６個の値により２５６階調が表現でき，このデジタル値によって色の輝度が表現される。
【０００７】
デジタル映像信号の値によって表現される輝度を調節するため，一般には，パルス幅変調（Ｐｕｌｓｅ  Ｗｉｄｔｈ  Ｍｏｄｕｌａｔｉｏｎ，以下ＰＷＭという）方式，又はパルス振幅変調（Ｐｕｌｓｅ  Ａｍｐｌｉｔｕｄｅ  Ｍｏｄｕｌａｔｉｏｎ，以下ＰＡＭという）方式が使用される。
【０００８】
ＰＷＭ方式は，データ電極駆動部から入力されるデジタル映像信号に応じて，データ電極に印加される駆動波形のパルス幅を変調する方式であり，ＰＡＭ方式は，データ電極駆動部からデータ電極に印加される駆動波形のパルス振幅を変調する方式である。こうして変調された駆動波形が電界放出ディスプレイに印加されることで映像が表示される。
【０００９】
ここで，ＰＷＭ方式は，Ｒ，Ｇ，Ｂ各８ビットのデータによって，データ電極に印加される駆動波形のパルス幅を変調する方式であって，最大オンタイム（ｏｎ−ｔｉｍｅ）内にデジタル映像信号の値として２５５が入力される場合，パルス幅は最大となって最大の輝度を表示し，デジタル映像信号の値として１２７が入力される場合，パルス幅は１／２となって輝度を低下させる。一方，ＰＡＭ方式では，入力されるデジタル映像信号にかかわらずパルス幅が一定であるが，入力されるデジタル映像信号に応じて，データ電極に印加される駆動波形のパルス電圧レベル，つまりパルスの大きさを変えることで輝度を調節する。
【発明の開示】
【発明が解決しようとする課題】
【００１０】
しかし，このような電界放出ディスプレイにおいては，（Ｒ：２進数で“１１１１１１１１”，Ｇ：２進数で“１１１１１１１１”，Ｂ：２進数で“１１１１１１１１”）のデジタル映像信号，つまり映像信号値が２５５としてデータ電極駆動部に入力されると，図１（ａ）のように，画面全体が白色の全白色モード（ｆｕｌｌ  ｗｈｉｔｅ  ｍｏｄｅ）であるか，図１（ｂ）のように画面の一部が白色の白色窓モード（ｗｈｉｔｅ  ｗｉｎｄｏｗ  ｍｏｄｅ）であるかにかかわらず，つまり映像信号の全体輝度レベルにかかわらず，映像信号値によってパルス幅又は振幅が変調されて輝度が決定される。したがって，全白色モード画面の輝度と白色窓モードの輝度間の違いがなくなってしまう。
【００１１】
したがって，動映像画面において，白色の視覚的な特性を期待することができないという問題点があった。また，全白色モードの場合，カソードのエミッタに流れる電流量が増加してアーク放電が発生し，電界放出ディスプレイの寿命にも悪い影響を及ぼす不具合もあった。
【００１２】
そこで，本発明は，このような問題に鑑みてなされたもので，その目的とするところは，映像を表示する際に，入力される映像信号の輝度レベルに応じて，映像信号を変換し，輝度を調節して表示することのできる電界放出ディスプレイ及びその駆動方法を提供することにある。
【課題を解決するための手段】
【００１３】
上記課題を解決するために，本発明のある観点によれば，入力された映像信号をディスプレイパネルに表示するように動作する駆動部を含む電界放出ディスプレイにおいて，映像信号の単位映像ごとに，画面全体の明るさ程度が分かる映像データの輝度レベルを計算する演算部と，単位映像ごとに，映像データを記憶する記憶部と，演算部で算出された輝度レベルに基づき，映像信号の変換指数を算出する比較部と，記憶部に記憶された映像データを変換指数により変換し，駆動部に出力するデータ変換部と，を備えることを特徴とする電界放出ディスプレイが提供される。
【００１４】
このとき，単位映像は，１フレーム映像とすることができ，その場合には，記憶部はフレームメモリであることが好ましい。また，単位映像は，１ライン映像とすることもでき，その場合には記憶部は，ラインメモリであることが好ましい。
【００１５】
こうして，入力される映像データを単位映像ごとに計算し，この計算結果によって，全白色モードの場合には，輝度レベルを一定基準で低減させ，白色窓モードの場合には，輝度レベルをそのまま，または高めて表示させることで，輝度レベルを制御することにより，白色の視覚的な特性が制御された，安定した画面を表示できる。また，全白色モードの場合には，輝度レベルを低減させるので，カソードに過電流が流れるのを防止することができる。
【００１６】
さらに，演算部は，単位映像ごとに映像データを加算する加算器と，加算器により加算された映像データの平均値を算出する分割器と，を備える構成とすることができ，算出された平均値を単位映像の輝度レベルとし，比較部においては，その輝度レベルに基づいて変換指数を算出することができる。
【００１７】
また比較部は，例えば，映像信号の基準輝度レベル及び基準輝度レベルによるデータ変換指数が記憶されたルックアップテーブルを備えることができ，先に算出された輝度レベルをルックアップテーブルの参照データと比較して，変換指数を算出することができる。
【００１８】
上記課題を解決するために，本発明の別の観点によれば，入力された映像信号をディスプレイパネルに表示するように動作する電界放出ディスプレイの駆動方法において，
ａ）映像信号の単位映像ごとに映像データを記憶する段階と，
ｂ）単位映像ごとに，画面全体の明るさ程度が分かる映像データの輝度レベルを計算する段階と，
ｃ）算出された輝度レベルに基づいて映像信号の変換指数を算出する段階と，
ｄ）変換指数により，ａ）段階で記憶された映像データを変換する段階と，
ｅ）変換された映像データにより，映像を表示する段階と，
を含むことを特徴とする電解放出ディスプレイの駆動方法が提供される。
【００１９】
ここで，単位映像は，１フレーム映像，または，１ライン映像とすることができる。
【００２０】
また，ｂ）段階は，単位映像ごとに映像データを加算する段階と，加算された映像データの平均値を算出する段階と，を含むことができ，算出された平均値を単位映像の輝度レベルとし，その輝度レベルに基づいて変換指数を算出することができる。
【００２１】
さらに，ａ）段階は，ｂ）段階及び前記ｃ）段階が行われている間中に行われることが望ましく，算出された変換指数を記憶された映像データに適用して，変換された映像信号を作り出すことができる。
【発明の効果】
【００２２】
以上詳述したように本発明によれば，入力される映像信号の輝度レベルに応じて，映像データを変換することにより，映像の輝度を調節する。すなわち，例えば全白色モード又はこれに近い画面のように，全体としてフレーム単位の輝度レベルが高い場合には，輝度レベルを全体として低く変換し，白色窓モードのように，輝度レベルが低い場合には，入力映像信号の輝度レベルをそのままに，または高く変換することにより，表示される映像の輝度を調節する。こうして，完全な白色を具現するとともに，動映像画面においても，白色の視覚的特性を十分に活用することができる。
【００２３】
また，全白色モードのように輝度レベルが高い場合には，輝度レベルを低く変換するので，カソードのエミッタに流れる電流量の増加が抑えられ，アーク放電を十分に防止することができる。したがって，電界放出ディスプレイの寿命をさらに長くすることができる。
【発明を実施するための最良の形態】
【００２４】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２５】
（第１の実施の形態）
図２は，第１の実施の形態による電界放出ディスプレイを概略的に示す図である。同図に示す電界放出ディスプレイ２００は，フレーム単位で映像信号の輝度レベルに応じてデータ変換を行って，輝度を調節する装置である。
【００２６】
本実施の形態の電界放出ディスプレイ２００は，単位映像ごとに，例えばフレーム単位ごとに，画面全体の明るさ程度が分かる映像データの輝度レベルを計算する演算部２１５と，演算部２１５で算出された輝度レベルに基づき，映像信号の変換指数を算出する比較部２３５と，フレーム単位で入力映像信号を記憶する記憶部であるフレームメモリ２５０と，比較結果によって，入力された映像信号の輝度レベルを変換するデータ変換部２６０と，輝度レベルが変換された映像データが出力される駆動部であるデータ電極駆動部２７０と，走査電極駆動部２８０と，電界放出ディスプレイパネル２９０とを備える。
【００２７】
ここで，演算部２１５は，入力される映像データをフレーム単位で加算する加算器２１０と，フレーム単位の輝度レベルの平均値を求める分割器２２０とから構成されており，比較部２３５は，比較器２３０に加え，平均値による映像の明るさ程度が分かる参照データが記憶されているＬＵＴ（Ｌｏｏｋ  Ｕｐ  Ｔａｂｌｅ，以下ＬＵＴという）２４０をさらに備えてもよく，比較器２３０は，分割器２２０で算出された平均値をＬＵＴ２４０の参照データと比較する。
【００２８】
まず，加算器２１０に垂直同期信号ＶＳとともに映像信号が入力されると，フレーム単位で映像信号の輝度レベルを計算するため，加算器２１０は，１フレーム，つまり１垂直同期信号ＶＳのアクティブ区間内のＲ，Ｇ，Ｂ各８ビットデータを加算する。加算結果値は，１フレーム単位の平均値の計算が可能な分割器２２０に出力される。
【００２９】
分割器２２０は，Ｒ，Ｇ，Ｂ各８ビットデータの平均値を算出する。この平均値から，表示される映像信号の明るさ程度が分かる。すなわち，分割器２２０で算出された平均値の輝度レベルが高いと，画面が全体として明るいことを意味し，分割器２２０で算出された平均値の輝度レベルが低いと，画面が相対的に暗いことを意味する。
【００３０】
ＬＵＴ２４０には，映像信号データの基準輝度レベルの平均値，及びこの平均値によって分けられた画面明暗の細部段階に対するデータ変換指数が記憶されている。他の方式として，ＬＵＴ２４０を別に設けなくてもよく，比較器２３０内でロジックで具現することもできる。
【００３１】
比較器２３０は，分割器２２０で特定フレームに対して算出された平均値と，ＬＵＴ２４０に記憶された基準輝度レベルの平均値を比較する。比較器２３０は，特定フレームの輝度レベルの高低によって映像信号のデータ変換指数を決定してデータ変換部２６０に出力する。
【００３２】
フレームメモリ２５０は，１フレームの全体映像信号を計算し，ＬＵＴ２４０の基準輝度レベルと比較する間に，当該フレームの映像信号の変換を適用するため，１フレームのデータを記憶しておく。
【００３３】
データ変換部２６０においては，フレームメモリ２５０に記憶された１フレームの映像信号及び当該フレームに対して比較器２３０で決定した映像信号のデータ変換指数に基づいて，所定の輝度レベルに映像信号データを変換する。
【００３４】
例えば，全白色モードのように，全体としての画面の平均値が２５５（２進数で“１１１１１１１１”）と高く，データ変換指数が７０％である場合，データ変換部２６０は，当該フレームの輝度を低くするため，２５５の輝度レベルを７０％水準（２５５×０．７＝１７８）に低くするデータ変換過程を行う。このように変換された映像信号データは，データ電極駆動部２７０に出力され，この映像信号のデータによりパネル２９０に映像が表示される。
【００３５】
また，全体としての画面の平均値が１００未満と低い場合には，データ変換指数は１００％となり，データ変換部２６０は，元の映像信号のデータ変調なしに，そのままデータ電極駆動部２７０及び走査電極駆動部２８０に出力する。
【００３６】
図３はフレーム単位のデータ計算及びデータの変換が適用されるタイミングを示す図である。同図に示すように，フレームを区別する垂直同期信号ＶＳの第１アクティブ区間において，第１フレームに対応するＲ，Ｇ，Ｂ各８ビットのデータが入力される。第１アクティブ区間のうち，第１フレームに対応する映像データは加算器２１０で加算され，分割器２２０で平均値が算出され，比較器２３０で，ＬＵＴ２４０の基準輝度レベルと比較されてデータ変換指数が決定される。
【００３７】
このような第１フレームのデータ計算過程は，全体フレーム信号が全て入力されると完了する。第１フレームのデータ計算過程が行われると同時に，第１フレームの映像信号データはフレームメモリ２５０に入力されて記憶される。
【００３８】
次に，垂直同期信号ＶＳの第２アクティブ区間において，第２フレームに対応する映像データが加算器２１０で加算され，分割器２２０で平均値が算出され，比較器２３０でＬＵＴ２４０の基準輝度レベルと比較されてデータ変換指数が決定される。このような第２フレームのデータ計算過程は，全体フレーム信号が全て入力されると完了する。第２フレームのデータ計算過程が行われると同時に，第２フレームの映像信号データはフレームメモリ２５０に入力されて記憶される。
【００３９】
また，垂直同期信号ＶＳの第２アクティブ区間においては，第１アクティブ区間のうち，フレームメモリ２５０に記憶された第１フレーム映像信号データ及び第１フレームのデータ変換指数がデータ変換部２６０に出力され，データ変換部２６０は第１フレーム映像信号のデータ変換を行う。
【００４０】
このように，垂直同期信号ＶＳに応じてフレームメモリ２５０の入出力を制御することにより，フレームのデータ計算結果が当該フレームのデータの変換に適用される。
【００４１】
データ変換指数は，電界放出ディスプレイパネルの特性によって，入力されるデータによって，又は発生する輝度の変化幅によって，小さくするか，あるいは大きくすることができる。データ変換指数によるデータの変換は，全体を基準として，例えば，８０％，８５％，９０％，９５％，１００％などに，当該デジタルデータに元の映像信号を変換する。
【００４２】
こうして，フレーム単位の輝度レベルが低い場合には，輝度の高い白色が具現され，フレーム単位の輝度レベルの高い場合には相対的に低い輝度の白色が具現される。
【００４３】
本実施の形態によると，入力される映像デジタルデータをフレーム単位で計算し，この計算結果によって，全白色モード（又は，これに近い明るい画面）の場合，輝度レベルを一定基準で低減させて安定した画面を具現し，これにより，カソードに過電流が流れることを防止する。また，白色窓モードの如く，全白色モードより容量が少ないデータが入力された場合，入力されるデータ値をそのまま表示パネルに印加するか，もしくは高めて表示パネルに印加して相対的に輝度を向上させることができる。
【００４４】
（第２の実施の形態）
図４は第２の実施の形態による電界放出ディスプレイを概略的に示す図である。同図に示す電界放出ディスプレイ３００は，ライン単位で，映像信号の輝度レベルに応じて，データ変換を行って，輝度を調節する装置である。本実施の形態による電界放出ディスプレイ３００は，記憶部としてラインメモリ３５０を用い，映像信号の輝度レベルをライン単位で計算する点で，第１の実施の形態による電界放出ディスプレイ２００とは異なる。
【００４５】
電界放出ディスプレイ３００は，入力される映像信号をライン単位で加算する加算器３１０及びライン単位の輝度レベルの平均値を求める分割器３２０から構成することができる演算部３１５と，平均値による映像の明るさ程度が分かる基準輝度レベルとデータ変換指数とが記憶されているＬＵＴ３４０，及び分割器３２０で算出された平均値をＬＵＴ３４０の基準輝度レベルと比較してデータ変換指数を決定する比較器３３０から構成することができる比較部３３５と，ライン単位で入力映像信号を記憶する記憶部となるラインメモリ３５０と，比較結果によって，入力された映像信号の輝度レベルを変換するデータ変換部３６０と，輝度レベルが変換された映像データが出力される駆動部であるデータ電極駆動部３７０と，走査電極駆動部３８０と，電界放出ディスプレイパネル３９０とを備える。
【００４６】
加算器３１０に水平同期信号ＨＳとともに映像信号が入力される。フレーム単位で映像信号の輝度レベルの平均値を計算するため，加算器３１０は，１ライン，つまり１水平同期信号ＨＳのアクティブ区間内のＲ，Ｇ，Ｂ各８ビットデータを加算する。加算結果値は，１ライン単位の平均値の計算が可能な分割器３２０に出力される。
【００４７】
分割器３２０は，Ｒ，Ｇ，Ｂ各８ビットデータの平均値を算出する。この平均値から，表示される映像信号の明るさ程度が分かる。すなわち，分割器３２０で算出された平均値の輝度レベルが高いと，画面が全体として明るいことを意味し，分割器３２０で算出された平均値の輝度レベルが低いと，画面が相対的に暗いことを意味する。
【００４８】
ＬＵＴ３４０には，映像信号データの基準輝度レベルの平均値，及びこの平均値によって分けられた画面明暗の細部段階に対するデータ変換指数が記憶されている。他の方式によると，ＬＵＴ３４０を別に設けなくてもよく，比較器３３０内でロジックで具現することもできる。
【００４９】
比較器３３０は，分割器３２０で特定ラインに対して算出された平均値と，ＬＵＴ３４０に記憶された基準輝度レベルの平均値を比較する。比較器３３０は，特定ラインの輝度レベルの高低によって映像信号のデータ変換指数を決定してデータ変換部３６０に出力する。
【００５０】
ラインメモリ３５０は，１ラインの全体映像信号を計算し，ＬＵＴ３４０の基準輝度レベルと比較する間に，当該ラインの映像信号の変換を適用するため，１ラインのデータを記憶しておく。
【００５１】
データ変換部３６０においては，ラインメモリ３５０に記憶された１ラインの映像信号データ及び当該フレームに対し，比較器３３０で決定した映像信号のデータ変換指数に基づいて，所定の輝度レベルに映像信号データを変換する。
【００５２】
図５は，ライン単位のデータ計算及びデータの変換が適用されるタイミングを示す図である。同図に示すように，ラインを区別する水平同期信号ＨＳの第１アクティブ区間において，第１ラインに対応するＲ，Ｇ，Ｂ各８ビットのデータが入力される。
【００５３】
第１アクティブ区間のうち，第１ラインに対応する映像データは加算器３１０で加算され，分割器３２０で平均値が算出され，比較器３３０で，ＬＵＴ３４０の基準輝度レベルと比較されてデータ変換指数が決定される。このような第１ラインのデータ計算過程は，全体ライン信号が全て入力されると完了する。第１ラインのデータ計算過程が行われると同時に，第１ラインの映像信号データはラインメモリ３５０に入力されて記憶される。
【００５４】
次に，水平同期信号ＨＳの第２アクティブ区間において，第２ラインに対応する映像データが加算器３１０で加算され，分割器３２０で平均値が算出され，比較器３３０でＬＵＴ３４０の基準輝度レベルと比較されてデータ変換指数が決定される。このような第２ラインのデータ計算過程は，全体ライン信号が全て入力されると完了する。第２ラインのデータ計算過程が行われると同時に，第２ラインの映像信号データはラインメモリ３５０に入力されて記憶される。
【００５５】
また，水平同期信号ＨＳの第２アクティブ区間においては，第１アクティブ区間のうち，ラインメモリ３５０に記憶された第１ラインの映像信号データ及び第１ラインのデータ変換指数がデータ変換部３６０に出力され，データ変換部３６０は第１ライン映像信号のデータ変換を行う。
【００５６】
このように，水平同期信号に応じてラインメモリ３５０の入出力を制御することにより，ラインのデータ計算結果が当該フレームのデータの変換に適用される。このようにして，第１の実施の形態により得られる効果と同様に，入力される映像信号をライン単位で計算し，この計算結果によって，全白色モードの場合，輝度レベルを一定基準で低減させて安定した画面を具現し，これにより，カソードに過電流が流れることを防止し，また，全白色モードより容量が少ないデータが入力された場合，入力されるデータ値をそのまま表示パネルに印加するか，もしくは高めて，相対的に輝度を向上させることができる。
【００５７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００５８】
本発明は，電界放出ディスプレイ及びその駆動方法に適用可能であり，特に入力される映像信号に応じての輝度を調節することの可能な電界放出ディスプレイ及びその駆動方法に適用可能である。
【図面の簡単な説明】
【００５９】
【図１】表示画面のモードを表す説明図であり，（ａ）は画面全体が白色である全白色モード，（ｂ）は画面の一部が白色である白色窓モードを示す。
【図２】第１の実施の形態による電界放出ディスプレイの構成を概略的に示す説明図である。
【図３】フレーム単位のデータ計算及びデータ変換が適用されるタイミングを示す説明図である。
【図４】第２の実施の形態による電界放出ディスプレイの構成を概略的に示す説明図である。
【図５】ライン単位のデータ計算及びデータ変換が適用されるタイミングを示す説明図である。
【符号の説明】
【００６０】
２００      電界放出ディスプレイ
２１０      加算器
２１５      演算部
２２０      分割器
２３０      比較器
２３５      比較部
２４０      ＬＵＴ
２５０      フレームメモリ
２６０      データ変換部
２７０      データ電極駆動部
２８０      走査電極駆動部
２９０      電界放出ディスプレイパネル
【図１】
2005107521.tif 000003
【図２】
2005107521.tif 000004
【図３】
2005107521.tif 000005
【図４】
2005107521.tif 000006
【図５】
2005107521.tif 000007